(57)【要約】【課題】音楽の時間に使用する縦笛（リコーダー）を携行して登校する際にランドセルに取付ける縦笛ケースである。【解決手段】  皮革製の後面部材１１と、該後面部材の前側に位置して中央部分を前方に膨出させた皮革製の前面部材１４の両側部とを縫着し、この前面部材の下部を後方に折り返して前記後面部材の下部に縫着して袋状底部を設けた該後面部材１１と前面部材１４との間に収容部２１を設けてある。この後面部材と前面部材の上部にそれぞれ設けた穴３４、３４に挿通させた紐４０の両端を固定具４２に挿通したケース本体の後面部材１１に、ランドセルに保持するための取付具２６を設けてある。【選択図】  図２
0003125347.tif 000002
【実用新案登録請求の範囲】
【請求項１】
皮革製の後面部材（１１）と、該後面部材の前側に位置して中央部分を前方に膨出させた皮革製の前面部材（１４）の両側部とを縫着して固着部（１９、１９）を設け、この前面部材の下部を前記後面部材の下部に縫着して袋状底部に形成したケース本体（２２）の内部に収容部（２１）を設け、この後面部材と前面部材の上部にそれぞれ設けた穴（３４）に挿通させた紐（４０）の両端を固定具（４２）に挿通し、該後面部材（１１）に、ランドセルに取付ける取付具（２６）を設けてなるランドセルの縦笛ケース。
【請求項２】
前記前面部材（１４）の両側部であって、前記後面部材（１１）の両側端よりやや内方に位置して設けた折曲部（１６、１６）が内方を向くように配した該折曲部を圧着させた状態で上下方向に縫着して縫着部（１７、１７）を設け、該縫着部の外方に位置する端部片（１８、１８）で前記後面部材（１１）の両側端を抱き込んで縫着して固着部（１９、１９）を設け、前記前面部材（１４）及び後面部材の上部を内側に折り込んで形成した補強片（２３）にそれぞれ形成した穴（３４、３４）に挿通させた紐（４０）の両端に固定部（４２）を具えてなる請求項１記載のランドセルの縦笛ケース。
【請求項３】
前記取付具（２６）は、後面部材（１１）の上部に皮革製の保持ベルト（２７）の基部（２８）を縫着すると共に止具（２９）で固着し、該保持ベルト（２７）の略先端部と前記基部との向いあう面に、接離可能に接着する面ファスナー（３０ａ，３０ｂ）をそれぞれ設け、該保持ベルト（２７）の先端に摘み片（３２）を設けてなる請求項１記載のランドセルの縦笛ケース。
【請求項４】
前記取付具（２６ａ）は、後面部材（１１）の上部に皮革製の保持ベルト（２７）の基部（２８）を着脱可能に止具（２９）で固着すると共に、該止具（２９）に設けたスナップ金具（３３ｂ）と、該スナップ金具（３３ｂ）と着脱可能に固着するスナップ金具（３３ａ）とを前記保持ベルト（２７）の先端内面に設けてなる請求項１記載のランドセルの縦笛ケース。
【請求項５】
前記取付具（２６ｂ）は、後面部材（１１）の上部に弾力性を有して略Ｕ字状に形成したクリップ片（４４）のクリップ基部（４５）を固着し、該クリップ片の前部下端を外開き状に湾曲させて挟持片（４６）を設けてなる請求項１記載のランドセルの縦笛ケース。
【考案の詳細な説明】
【技術分野】
【０００１】
本考案は、小学生が音楽の時間に使用する縦笛を携行して登校する際にランドセルに保持ける縦笛ケースに関するものである。
【背景技術】
【０００２】
従来、小学生が登校する際に背中に背負うランドセルの内部に教科書やノートが種々収容してあるため、このランドセルの内部に長尺な縦笛を収容するスペースがない場合がある。そのような時に、小学生はその縦笛を直接手で持って登校したり、縦笛を収容した布製袋などを手で持ったり、あるいは、ランドセルの適当個所に該布製袋を取付けて登下校することになるが、該縦笛を途中で置き忘れたり、縦笛を収容した布製袋を振り回したりしながら走ったり、歩いたりしていると、柱や塀などにぶつけて該縦笛を破損させてしまうことがあった。
【０００３】
さらに、該縦笛を練習に使用した後、該縦笛の表面に付着した唾を拭いてランドセルの内部に収容して登下校する場合、該縦笛の内部に残存していた唾が縦笛内を流下し、外部に流れ出てランドセルの底部やランドセル内に収容してある教科書を濡らして汚してしまうことがある等の問題点を有していた。
【特許文献１】実用新案登録第３０７１８０３号
【考案の開示】
【考案が解決しようとする課題】
【０００４】
本考案は、上記課題を解決するために、ランドセル１の側面部に設けてあるサイドベルト２を利用し、縦笛４を内部に収容する縦笛ケース１０を簡単に取付けることにより、交通量の激しい道路を小学生が登校下校の際に縦笛を収容した紐付き袋を手で持たなくてすむようにし、とっさの場合に体を動かしやすくして乱暴な走行をする車両からできるだけ身をかわせるようにし、少しでも交通事故を防ぐことができるようにするものである。
【課題を解決するための手段】
【０００５】
上記課題を解決する為に、本考案は、皮革製の後面部材１１と、該後面部材の前側に位置して中央部分を前方に膨出させた皮革製の前面部材１４の両側部とを縫着し固着部１９、１９を設け、この前面部材の下部を前記後面部材の下部に縫着して袋状底部に形成したケース本体２２の内部に収容部２１を設け、この後面部材と前面部材の上部にそれぞれ設けた穴３４、３４に挿通させた紐４０の両端を固定具４２に挿通し、該後面部材１１に、ランドセルに取付ける取付具２６を設けてなることを特徴とする。さらに、前記前面部材１４の両側部であって、前記後面部材１１の両側端よりやや内方に位置して設けた折曲部１６、１６が内方を向くように配した該折曲部を圧着させた状態で上下方向に縫着して縫着部１７、１７を設け、該縫着部の外方に位置する端部片１８、１８で前記後面部材１１の両側端を抱き込んで縫着して固着部１９、１９を設け、前記前面部材１４及び後面部材の上部を内側に折り込んで形成した補強片２３にそれぞれ形成した穴３４、３４に挿通させた紐４０の両端に固定部４２を具えてなることを特徴とする。
【０００６】
そのため、ランドセル１のサイドベルト２を利用して簡単に後面部材１１に設けた固定具２６によってケース本体２２を取付けることができ、このケース本体２２内に縦笛４を収容して容易に携行することができる。
【０００７】
前記取付具２６は、後面部材１１の上部に皮革製の保持ベルト２７の基部２８を縫着すると共に止具２９で固着し、該保持ベルト２７の略先端部と前記基部２８との向いあう面に、接離可能に接着する面ファスナー３０ａ，３０ａをそれぞれ設け、該保持ベルト２７の先端に摘み片３２を設けてある。さらに、前記取付具２６ａは、後面部材１１の上部に皮革製の保持ベルト２７の基部２８を着脱可能に止具２９で固着すると共に、該止具２９に設けたスナップ金具３３ｂと、該スナップ金具に３３ｂと着脱可能に固着するスナップ金具３３ａとを前記保持ベルト２７の先端内面に設けてある。また、前記取付具２６ｂは、後面部材１１の上部に弾力性を有して略Ｕ字状に形成したクリップ片４４のクリップ基部４５を固着し、クリップ片４４の前部下端を外開き状に湾曲させた挟持片４６を設けてある。
【０００８】
上記のように、ケース本体の後面に取付けた各種の取付具２６、２６ａ、２６ｂにより、このケース本体２２をランドセルのサイドベルト２に着脱可能に取付けることができる作用を有する。
【考案の効果】
【０００９】
本考案は、前面部材１４の両側部分にそれぞれ設けた折曲部１６、１６を縫着して縫着部１７、１７を形成し、該折曲部によって前面部材の弾性を高め、皮革材の有する弾性を利用して該前面部材と後面部材との間に形成した収容部２１の上端に設けた開口２５は常に開いた状態であるので縦笛（リコーダー）を容易に収容できる。また、前記後面部材１１に設けた取付具２６は、必要に応じて縦笛ケースを簡単にランドセルに着脱させることができる。
【考案を実施するための最良の形態】
【００１０】
本考案の実施形態を図面に基づいて説明すると、柔軟な皮革を縦長に形成した後面部材
１１の正面側に、同じく柔軟な皮革を縦長に形成した前面部材１４を配し、該前面部材の横幅は後面部材１１より長く形成し、該前面部材を前方に膨出させて内部に収容部２１を設けてある。この前面部材１４の両側部分であって、前記後面部材の両側端からやや内側の個所に位置して、それぞれ内側に折り曲げた折曲部１６（即ち、二つに折り曲げた湾曲部の外側部分を内側に位置した状態）を上下方向に縫着して縫着部１７、１７を夫々設けてある。この縫着部１７は、前面部材及び後面部材の上端のやや下方位置、即ち、補強片２３の下側位置まで形成してある。
【００１１】
この前面部材の縫着部１７、１７の後部側、即ち、前面部材の両側端に位置した端部片１８、１８は、前記後面部材１１の両側端を抱え込むように折り返して、端部片１８、１８の前面及び後面と該後面部材１１とを一体に縫着した固着部１９、１９を上下方向に形成してある。さらに、この前面部材１４の下部片２０を後面部材の外側に折り返して縫着することにより袋状底部に形成し、上端に開口２５を具え内部に収容部２１を有したケース本体２２を設けてある。
【００１２】
この前面部材１４及び後面部分１１の上端をそれぞれ内側に折り返して補強の為に二重にし、その上下部分をそれぞれ糸２４で縫着して補強片２３を設けて収容部２１の上部を補強し、該収容部２１の上端に設けた開口２５は、皮革の弾性などにより前方に膨出している。即ち、前面部材１４の略両側部分に設けた縫着部１７、１７の間に位置する中間部分は前面部材の前方に膨出して開口２５およびそれに連なる収容部２１が開いているようにしてある。
【００１３】
この前面部材１４及び後面部材１１の中間部分に一対の穴３４、３４をそれぞれ合致する位置に設け、前面部材に設けた一方の穴から紐４０の一端を挿入し、後面部材の一方から引き出した紐４０を後面部材の他方の穴から挿入して前面部材の他方の穴から引出し、紐の両端部を固定具４２に挿通して引っ張って締付けることにより開口２５を狭めたり、また、固定具４２を操作して紐４０を緩めることにより開口１５を広げることができるように止着してある。
【００１４】
この前面部材１４の略両側部分を折り曲げた折曲部１６、１６を圧着させて縫着して形成した縫着部１７、１７を設けて皮革の有する弾性を利用して該前面部材の中間部分を前方に膨出させてある。この膨出する力は、前面部材の略両側部分に設けた縫着部１７、１７に接近した個所から中央部分に向かって前面部材を湾曲させて、該前面部材の中間部分はきれいなカーブを形成することができる。この前面部材１４は外方から押圧されれば単に平坦になるが、押圧力を解消させれば元のように外方に膨出した状態に復帰できる。この収容部２１の上部の開口２５は、通常は開口した状態を保っているが、縦笛を収容した後は、紐４０をひっぱって開口を絞って固定具４２で止着して縦笛ケース１０内から縦笛が脱出するのを防止できる。
【００１５】
この前面部材１４の両側部分に縫着部１７、１７を設けないで、該前面部材の両側部分を後面部材１１の両側部分に合致させて縫着した場合には、皮革が新しい内は該皮革材の有する弾力性により開口２５は略閉じているが、経時的に皮革材が伸びて劣化すると、この開口２５はだらしなく開いた状態になってしまったり、あるいは、開口が閉じた状態になって縦笛を収容しにくくなってしまう。
【００１６】
次に、ケース本体２２の後面部材１１に取付ける取付具２６について説明する。
この後面部材１１の上部に皮革製で細巾をした保持ベルト２７の基部２８を縫着して固定した後、止ピンなどからなる止具２９で固着し、該保持ベルト２７の基部２８の表面に平面ファスナー３０ａを取付けてある。さらに、保持ベルト２７の先端部の内面に前記平面ファスナー３０ａと接離可能に接着する他の平面ファスナー３０ｂを取付け、該保持ベルトの先端に摘み片３２を設け、該保持ベルト２７の先端を摘まみやすくしてある。縦笛ケース１０をランドセル１に取付けるには、まず、先端に設けた摘み片３２を図５の矢印方向に引っ張って平面ファスナー３０ａ、３０ｂを分離させる（図６）。
【００１７】
ついで、この保持ベルト２７の先端を、ランドセル１の側面部とサイドベルト２との間に上方から挿入した後、該保持ベルトの先端裏面に取付けた平面ファスナー３０ｂを該保持ベルトの基部２８に設けた平面ファスナー３０ａに接着させて、縦笛ケース１０をサイドベルト２に取付けることによりランドセル１に装着させる。
【００１８】
縦笛ケース１０を構成する前面部材１４の両側部分を夫々内側に折り畳んで設けた折曲部１６、１６をそれぞれ縫着して形成した縫着部１７、１７は、該前面部材の両側部分に沿って形成してあるので、この前面部材１４の中間部分は前方に膨出して上端に設けた開口２５は開いており、縦笛４を容易に収容できる。この収容部２１内に二つに分離した縦笛４を収容した後、開口２５を狭めて紐４０の両端部を引張して固定具４２で保持固定することにより縦笛４が縦笛ケース１０からの脱出を防止している。
【００１９】
図７、８において、第２の実施形態について説明すると、後面部材１１の外側上部に取付けた取付具２６ａは皮革製で細巾をした保持ベルト２７の基部２８を止具２９で止着し、該保持ベルトの先端部の内面に、前記止具２９であるスナップ金具の表面に設けたスナップ金具３３ｂと着脱可能に固着するスナップ金具３３ａを設けてある。そして、この細巾をした保持ベルト２７の先端を、サイドベルト２とランドセルの側面部との間から挿入して、保持ベルトの先端部及び基部にそれぞれ設けたスナップ金具３３ｂ、３３ａを止着してサイドベルト２に取付ける。
【００２０】
次に、図９、１０において、第３の実施形態を説明すると、縦笛ケース１０をなす皮革製で細長く形成した後面部材１１の上部に取付具２６ｂを設けてある。この取付具２６ｂは、金属材又は合成樹脂材を用いて側面が略Ｕ字状をして弾力性を具えたクリップ片４４を装着してある。即ち、後面部材１１の上部にクリップ基部４５を固着し、中間下方を開放した挟持片４６の下端を外側に湾曲させてある。即ち、このクリップ片４４の挟持片４６をサイドベルト２の内側に上方から挿入し、該クリップ片４４の具有する弾力性を具えた挟持片４６でサイドベルト２を該挟持片の内部に収容し、挟持することによって脱出を防止できる。また、ランドセルから縦笛ケースを取り外す場合、該縦笛ケースを上方に引き上げればクリップ片４４は、サイドベルトの内側から上方に引き抜いて取り外すことができる。
【図面の簡単な説明】
【００２１】
【図１】本考案に係る縦笛ケースをランドセルに装着した状態の説明図である。
【図２】ランドセルの側面部に位置するサイドベルトに縦笛ケースの取付具を取付けた状態の斜視図である。
【図３】図２のＡ−Ａ線断面図である。
【図４】縦笛ケースの背面図である。
【図５】図４のＢ−Ｂ線断面図である。
【図６】図４に示す取付具の先端を基部から離した状態の説明図である。
【図７】図７は他の取付具を示した背面図である。
【図８】図７のＣ−Ｃ線断面図である。
【図９】図９は他の取付具を示した背面図である。
【図１０】図９のＤ―Ｄ線断面図である。
【符号の説明】
【００２２】
１１      後面部材
１４      前面部材
１６      折曲部
１７      縫着部
１８      端部片
１９      固着部
２１      収容部
２２      ケース本体
２３      補強片
２５      開口
２６      取付具
２６ａ    取付具
２６ｂ    取付具
２７      保持ベルト
２８      基部
２９      止具
３０ａ    平面ファスナー
３０ｂ    平面ファスナー
３２      摘み片
３３ａ    スナップ金具
３３ｂ    スナップ金具
３４      穴
４０      紐
４２      固定具
４４      クリップ片
４５      クリップ基部
４６      挟持片
【図１】
0003125347.tif 000003
【図２】
0003125347.tif 000004
【図３】
0003125347.tif 000005
【図４】
0003125347.tif 000006
【図５】
0003125347.tif 000007
【図６】
0003125347.tif 000008
【図７】
0003125347.tif 000009
【図８】
0003125347.tif 000010
【図９】
0003125347.tif 000011
【図１０】
0003125347.tif 000012